(57)【要約】      （修正有）【課題】ブレーキの糸スプールに対する制動調整を単純化する。【解決手段】糸スプール４を制動する第１ブレーキ２７，２８および第２ブレーキ１０，１６とを備え、それぞれ第１調整手段３１，３２および第２調整手段２２により調整自在である。操作手段２４は両方の歯状部分３３，２６に噛み合う少なくとも１つの歯状要素３４，２５を有し、操作手段２４の回動により、第１歯状部分３３と第２歯状部分２６とがそれぞれ回動して、各ブレーキそれぞれ２７，２８および１０，１６の糸スプール４に対する制動効果を調整する。【選択図】図１
2004242676.tif 000002
【特許請求の範囲】
【請求項１】
フレーム（１）と、
フレーム上に取り付けられた２つの側プレート（２，３）と、
回転軸（Ａ）の周りを回転自在にフレーム内に取り付けられた糸スプール（４）と、
糸スプール（４）を制動し、糸スプール（４）に対する制動効果が糸スプールの回転速度に依存するとともに、回転軸（Ａ）に平行な軸の周りを回動自在な第１調整手段（３１，３２）を用いて調整自在である第１ブレーキ（２７，２８）と、
糸スプール（４）を制動し、糸スプール（４）に対する制動効果が糸スプールの回転速度と無関係であるとともに、回転軸（Ａ）に平行な軸の周りを回動自在な第２調整手段（２２）を用いて調整自在である第２ブレーキ（１０，１６）とを備え、
第１調整手段（３１，３２）および第２調整手段（２２）は、前記側プレート（２）の一方内に設けられるとともに、それぞれ歯を設けられた第１歯状部分（３３）および第２歯状部分（２６）を有し、
前記一方の側プレート（２）上に、側プレート（２）の外側から操作自在であって、回転軸（Ａ）に平行な軸の周りを回動自在な操作手段（２４）が取り付けられ、操作手段（２４）は第１歯状部分（３３）と第２歯状部分（２６）とに噛み合う少なくとも１つの歯状要素（３４，２５）を有し、操作手段（２４）の回動により、第１歯状部分（３３）と第２歯状部分（２６）とがそれぞれ回動して、各ブレーキ（それぞれ２７，２８および１０，１６）の糸スプール（４）に対する制動効果を調整することを特徴とするマルチプライヤ型釣り用リール。
【請求項２】
操作手段（２４）は、第１歯状部分（３３）と噛み合う第１歯状要素（３４）と、第２歯状部分（２６）と噛み合う第２歯状要素（２５）とを有していることを特徴とする請求項１記載の釣り用リール。
【請求項３】
第１調整手段（３１，３２）および第２調整手段（２２）の回動軸は回転軸（Ａ）に一致し、第１調整手段（３１，３２）と第２調整手段（２２）とは互いから軸方向に離間されていることを特徴とする請求項１および請求項２のいずれかに記載の釣り用リール。
【請求項４】
操作手段の一方向への回動により、第１調整手段（３１，３２）および第２調整手段（２２）が両方とも回動して各ブレーキ（２７，２８；１０，１６）の糸スプール（４）に対する制動効果を増大させるとともに、操作手段の他方向への回動により、第１調整手段および第２調整手段が両方とも回動して各ブレーキの糸スプールに対する制動効果を減少させるよう、操作手段（２４）と調整手段（３１，３２；２２）とが設けられていることを特徴とする請求項１乃至請求項３のいずれかに記載の釣り用リール。
【請求項５】
第１ブレーキ（２７，２８）は磁気ブレーキであり、第２ブレーキ（１０，１６）は機械式摩擦ブレーキであることを特徴とする請求項１乃至請求項４記載のいずれかに記載の釣り用リール。
【発明の詳細な説明】
【発明の分野】
【０００１】
本発明は、フレームと、フレーム上に取り付けられた２つの側プレートと、回転軸の周りを回転自在にフレーム内に取り付けられた糸スプールと、糸スプールを制動し、糸スプールに対する制動効果が糸スプールの回転速度に依存するとともに、回転軸に平行な軸の周りを回動自在な第１調整手段を用いて調整自在である第１ブレーキと、糸スプールを制動し、糸スプールに対する制動効果が糸スプールの回転速度と無関係であるとともに、回転軸に平行な軸の周りを回動自在な第２調整手段を用いて調整自在である第２ブレーキとを備えたマルチプライヤ型釣り用リールに関する。
【０００２】
２つのブレーキは、キャスティング中に糸スプールを制動するために用いられる。これにより、糸の巻き込みを必然的に生じさせてもつれを引き起す、糸の繰り出し速度より速い速度における糸スプールの回転を防止する。
【背景技術】
【０００３】
この種類の釣り用リールのほとんどの先行技術において、第１ブレーキが釣り用リールの一側に設けられ、その調整手段は一方の側プレートに設けられた第１操作ノブを用いて操作自在となっている。また、第２ブレーキが釣り用リールの他側に設けられ、その調整手段は他方の側プレートに設けられた第２操作ノブを用いて操作自在となっている。この種類の釣り用リールのいくつかの先行技術において、２つのブレーキが釣り用リールの一側に設けられ、一方の側プレートに設けられた操作ノブを用いてそれぞれ操作自在となっている。キャスティング中糸スプールに対して２つのブレーキによって発揮される制動効果を調整する場合、釣り人はまず、一方の操作ノブを回動させて一方のブレーキの制動効果を調整し、その後、他方の操作ノブを回動させて他方のブレーキの制動効果を調整しなければならない。釣り人にとって、適切な制動効果の総量に設定することは困難であり、２つのブレーキの制動効果を互いに対して適合させることはなおさら困難である。
【発明の概要】
【０００４】
本発明の目的は、第１ブレーキと第２ブレーキとを備えたマルチプライヤ型釣り用リールを提供することであり、その釣り用リールにおいては、ブレーキの糸スプールに対する制動効果の総量は単純な方法で設定され得り、また同時に、２つのブレーキの相対的な制動状態は自動的に互いに対し適合され得る。
【０００５】
本発明による釣り用リールによればこの目的は達成される。本発明による釣り用リールは、前置きとして記載された種類の釣り用リールであって、
第１調整手段および第２調整手段は前記側プレートの一方内に設けられるとともに、それぞれ歯を設けられた第１歯状部分および第２歯状部分を有し、
前記一方の側プレート上に、側プレートの外側から操作自在であって、回転軸に平行な軸の周りを回動自在な操作手段が取り付けられ、操作手段は第１歯状部分と第２歯状部分とに噛み合う少なくとも１つの歯状要素を有し、操作手段の回動により、第１歯状部分と第２歯状部分とがそれぞれ回動して、各ブレーキの糸スプールに対する制動効果を調整することを特徴とする。
【０００６】
この解決方法は、共通の操作手段を回動させるという単純な方法により、２つのブレーキの制動効果の総量を設定することを可能とする。この回動により、２つのブレーキの調整手段は回動させられ、各ブレーキの糸スプールに対する制動効果を調整する。一方のブレーキの制動効果の調整は、他方のブレーキの制動効果の調整に依存し、この依存は事前に工場において、適切な構成部材および構成部材の形状選択することにより設定される。このため、釣り人はブレーキの制動効果を互いに適合させることについて悩む必要はない。
【０００７】
好ましい実施の形態において、操作手段は、第１歯状部分と噛み合う第１歯状要素と、第２歯状部分と噛み合う第２歯状要素とを有している。
【０００８】
好ましくは、第１調整手段および第２調整手段の回動軸は回転軸に一致し、第１調整手段と第２調整手段とは互いから軸方向に離間されている。
【０００９】
好ましい実施の形態において、操作手段の一方向への回動により、第１調整手段および第２調整手段が両方とも回動して各ブレーキの糸スプールに対する制動効果を増大させるとともに、操作手段の他方向への回動により、第１調整手段および第２調整手段が両方とも回動して各ブレーキの糸スプールに対する制動効果を減少させるよう、操作手段と調整手段とが設けられている。
【００１０】
第１ブレーキは、例えば、磁気ブレーキとしてもよい。また、第２ブレーキは、例えば、機械式摩擦ブレーキとしてもよい。
【発明を実施するための形態】
【００１１】
本発明は、添付図面を参照し、好ましい実施の形態により以下にさらに詳細に記載される。
【００１２】
図１に示されたマルチプライヤ型釣り用リールは、フレーム１と、２つの側プレート２，３と、フレーム１内に取り付けられ、糸（図示せず）を受けるための糸スプール４と、釣り用リールを釣り竿（図示せず）に取り付けるための台５とを備えている。
【００１３】
右側側プレート３はフレーム１に螺着されている。なお、右側側プレート３について、ここでは詳しく記載しない。左側側プレート２はキャップ状の外側部分２ａと、外側部分２ａが嵌め込まれるキャップ状の内側部分２ｂとからなっている。内側部分２ｂはねじ６（図３）により取付プレート７に取り付けられており、取付プレート７はまた同様にフレーム１に螺着されている。
【００１４】
糸スプールシャフト８は、右側側プレート３に固定されたコップ状のスリーブ９に一端を挿入され、取付プレート７内を延在するコップ状のスリーブ１０に他端を挿入されている。スリーブ１０は、左側に突出して取付プレート７上に配置されるとともに外ねじを設けられたハブ部分７ａの穴１１（図３）内に、回転できないが軸方向に移動することができるように取り付けられ、スリーブ１０の底端部は取付プレートを越えて延在している。圧縮バネ１２がスリーブ内１０であって、その底と糸スプールシャフト８の端部との間に設けられている。
【００１５】
糸スプール４は、２つの転がり軸受け１３，１４を用いてシャフト８上に回転自在に支持されている。転がり軸受け１３，１４は、糸スプール４内の中心貫通開口１５内に、糸スプール４内部において離間して取り付けられている。糸スプール４は糸スプールシャフト８により定められる回転軸Ａの周りを回転自在となっている。摩擦ワッシャー１６が中心開口１５内であって、左側の転がり軸受け１３の軸方向外側に設けられており、摩擦ワッシャー１６は回転できないよう糸スプール４に固定されている。スリーブ１７が転がり軸受け１４の軸方向外側でシャフト８に固定されている。
【００１６】
噛み合い歯を設けられた連結スリーブ１８の形式をとった連結手段が、回転自在かつ軸方向に移動自在にシャフト８上に取り付けられている。連結スリーブ１８はその右側端部において、駆動歯車１９と噛み合っている。駆動歯車１９は、ハンドル（図示せず）によって回転自在な駆動シャフト２０上に、シャフトに対して回転できないように取り付けられている。連結した状態における連結スリーブ１８が図１に示されている。図中において、連結スリーブ１８の左側端部は、先行技術の方法により、回転できないよう糸スプール４に連結された連結リング２１と駆動自在に係合している。キャストされる場合、先行技術の方法により、連結スリーブ１８は操作キー（図示せず）を用いて右側に移動され非係合状態となる。非係合位置において、連結スリーブ１８は連結リング２１に駆動自在に係合させられていない。連結スリーブ１８が非係合状態にある場合、糸スプール４はシャフト８上を自由に回転することができる。ハンドルを回復方向に、すなわち、糸スプール４に固定された糸のうちキャスティング中に繰り出された部分が再びスプール上に巻き取られる方向に回転させ始めた場合、連結スリーブ１８は、糸スプール４を回転させるため、先行技術の方法により自動的に連結状態に戻される。
【００１７】
釣り用リールは、キャスティング中に糸スプール４を制動するための機械式ブレーキを備えている。この機械式ブレーキの糸スプール４に対する制動効果は糸スプール４の回転速度と無関係であり、機械式ブレーキは摩擦ワッシャー１６とコップ状のスリーブ１０とを有している。機械式ブレーキは、内ねじを設けられ取付プレート７のハブ部分７ａに螺着されたコップ状のスリーブ２２の形式をとった調整手段を用いて調整自在である。ゴムのような弾性材量からなるディスク２３がスリーブ２２内に配置されており、スリーブの底部に接している。スリーブ２２は、ディスク２３を介してスリーブ１０を押圧して、スリーブを摩擦ワッシャー１６と摩擦接触させるようになっている。スリーブ１０を摩擦ワッシャー１６に対して押しつけ、これにより、機械式ブレーキの制動効果を糸スプールに作用させる力は、スリーブ２２を回転することにより調整される。スリーブ２２は、調整ノブ２４の形式をとった操作手段を用いて回転させられる。操作手段は左側側プレート２に取り付けられ、回転軸Ａに平行な軸の周りを回動自在である。調整ノブ２４は、スリーブ２２の外側の歯２６と噛み合う外側の第１歯２５を有している。これにより、調整ノブ２４を回動させると、機械式ブレーキの糸スプールに対する制動効果を調整するためにスリーブ２２を回転させることができる。
【００１８】
調整ノブ２４は、図２に示される、機械式ブレーキの糸スプールに対する制動効果が取り除かれる第１位置（最小）と、（図２における）反時計回り方向へ約３２０°だけ第１位置と異なり、機械式ブレーキの糸スプールに対する制動効果が最大となる第２位置（最大）との間を回動自在となっている。
【００１９】
釣り用リールは、またキャスティング中に糸スプール４を制動するための誘導型磁気ブレーキを備えている。糸スプール４は各端部にシャフト８に直交する端壁４ａ，４ｂを有している。本実施例において、糸スプール４はアルミニウムからなる。その糸スプール４に対する制動効果が糸スプール４の回転速度に依存する磁気ブレーキは、糸スプール４の左側端壁４ａに誘導作用を及ぼすための複数の永久磁石を有している。磁石２７は弓形の磁石サポート２８により支持されており、弓形の磁石サポート２８はねじ２９を用いて端壁４ａに近接して取付プレート７に固定されている。本実施例において、磁石サポート２８はプラスチック材料からなり、弓形の凹部を有し、凹部の開口は取付プレート７に面している。磁石２７は平たい円柱状からなり、凹部内に配置されている。その中において、磁石２７は、鉄製の弓形カバープレート３０により、回転軸Ａに対して直交する第１平面において保持されている。磁石２７は円弧に沿って配設され、このため、回転軸Ａからの放射方向距離が同一となるように配置されている。磁気ブレーキは調整手段を有している。調整手段は、取付プレート７に回動自在に取り付けられるとともに糸スプールシャフト８と同軸上に配置されたホイール３１と、ホイールに取り付けられた鉄製の弓形遮蔽プレート３２とからなっている。弓形遮蔽プレート３２は、回転軸Ａに直交するとともに磁石２７と糸スプール４の端壁４ａとの間に配置された第２平面に設けられている。ホイール３１は、その外周の部分に沿って外側の歯３３を有しており、外側歯３３は調整ノブ２４の外側の第２歯３４と噛み合う。磁石サポート２８の弓形凹部、弓形カバープレート３０、弓形遮蔽プレート３２およびホイール３１の歯３３は、約１１０°の範囲に渡っている。
【００２０】
調整ノブ２４を回動させた場合、その第２歯３４は歯３３を介して、磁気ブレーキの糸スプールに対する制動効果を調整するためにホイール３１を回動させる。調整ノブ２４がその第１位置（最小）にある場合、遮蔽プレート３２はホイール３１の回動により、第１位置（図４）にある。その位置において、遮蔽プレート３２は磁石２７の真正面に配置されて磁石を完全に遮蔽し、これにより、糸スプール４の端壁４ａへの誘導作用は取り除かれる。調整ノブ２４が第２位置（最大）へ回動させられた場合、ホイール３１と、これに伴い遮蔽プレート３２とが第２位置（図５）へと回動させられる。その位置おいて、遮蔽プレートはわきへ移動させられて、磁石２７を全く覆わなくなる。
【００２１】
このように、調整ノブ２４が適切な位置へと回動させられることにより、糸スプール４に対する所望の制動効果が調整される。機械式ブレーキは調整ノブ２４の回動位置に依存した力によってスリーブ１０が摩擦ワッシャー１６に向けて押圧されることにより、磁気ブレーキは調整ノブ２４の回動位置に依存した程度だけ遮蔽プレート３２が磁石２７を遮蔽することにより、機械式ブレーキと磁気ブレーキとの両者は意図された制動状態へ設定される。同様に注目すべき点は、調整ノブ２４が第１位置（最小）にある場合、２つのブレーキの糸スプール２４に対する制動効果が完全に取り除かれることである。さらに注目すべき点は、一方向へ調整ノブ２４を回動させると、スリーブ２２とホイール３１とが回動して各ブレーキの糸スプール４に対する制動効果が増大し、また、多方向へ調整ノブ２４を回動させると、スリーブ２２とホイール３１とが回動して各ブレーキの糸スプール４に対する制動効果が減少するように、歯２５，３４を有する調整ノブ２４と、歯２６を有するスリーブ２２と、歯を有するハブ部分７ａと、歯３３を有するホイール３１が配設されていることである。
【図面の簡単な説明】
【００２２】
【図１】本発明による釣り用リールを示し、磁気ブレーキが第１位置にある、図２の線Ｉ−Ｉに沿った縦断面図。
【図２】図１における矢印ＩＩの方向からの釣り用リールを示す端面図。
【図３】図１に示された釣り用リールのいくつかの構成部品を示す分解図。
【図４】磁気ブレーキが図１による第１位置であり、図３に示された構成部品の組み立てられた状態を図３の矢印ＩＶの方向から示す端面図。
【図５】磁気ブレーキが第２位置にある図４に対応する図。
【図６】釣り用リールの図１における左側の側プレートが取り外され、図４および図５に示された構成部品を反対側から示す斜視図。
【図１】
2004242676.tif 000003
【図２】
2004242676.tif 000004
【図３】
2004242676.tif 000005
【図４】
2004242676.tif 000006
【図５】
2004242676.tif 000007
【図６】
2004242676.tif 000008
【外国語明細書】
2004242676000001.pdf